(57)【要約】      （修正有）【課題】容易な作業で同じ折り曲げ片に被包装物を下方で受け止める受止め部と、上側で押さえる押さえ部を形成することができる、被包装物保持具を提供する。【解決手段】保持具１は平面部３と支持壁部５，７，９，１１を備える。平面部に切込みＣ１、Ｃ２、Ｃ３、Ｃ４、Ｃ５を入れる。ついで折り曲げラインＬ２、Ｌ１に沿って同じ方向へ２度折り曲げる。これにより、垂直部１９ｂと水平部１９ａが形成され、同時に受け部と押さえ部とが形成される。【選択図】図１
0003179278.tif 000002
【実用新案登録請求の範囲】
【請求項１】
一枚の板紙で形成し、略四角形の平面部と該平面部の少なくとも一対の対向縁部から下方へ延びる支持壁部とを備え、前記平面部の適宜箇所に切込みを入れ、且つ適宜箇所において折り曲げることにより被包装物の平面視外形形状に略対応した開口部を形成した包装用被包装物保持具において、前記被包装物の両側側部に対応する前記開口部の両側縁部に対応する位置に適宜間隔で設けられた第１の折り曲げラインと、該第１の折り曲げラインからそれぞれ所定の距離だけ互いに近づいた位置に適宜間隔で設けられた第２の折り曲げラインと、前記第１の折り曲げラインの隣合う端部の間に前記第２の折り曲げライン側へ突出した「コ」字状の切り込みを、前記第２の折り曲げラインの隣合う端部の間に前記第１の折り曲げライン側へ突出した「コ」字状の切込みを設け、前記第１と第２の折り曲げラインに沿って折り曲げることにより、前記開口の周囲の平面部に対して下方へ曲げられて互いに対向する垂直部と、該垂直部の下端部から互いに遠去かる方向へ折り曲げられた水平部と、前記平面部から該平面部と同一面で前記開口部内へ伸びる押さえ片と、前記水平部から該水平部と同一面で前記開口部内へ延びる受け片とを形成したことを特徴とする、被包装物保持具。
【考案の詳細な説明】
【技術分野】
【０００１】
本願考案は被包装物を包装箱に格納する際に使用する被包装物保持具に関する。さらに詳細に言えば、ボール紙など一枚の薄板材から成り、被包装物を包装箱内の所定の位置に拘束して保持し、被包装物が包装箱内でガタついたり、移動するのを防止する被包装物保持具に関する。
【背景技術】
【０００２】
包装箱に被包装物を格納する際、包装箱内で被包装物がガタついたり、移動するのを防止するために保持部材或いは緩衝材が使用される場合がある。例えば特開平８−９１３５６には、一枚の板材に適宜切込みを設け、所定の位置で折り曲げる（山折）ことにより被包装物の輪郭形状に略対応した略四辺形の凹所を形成すると共に、それぞれの折り曲げ片の先端側を今度は谷折りすることにより各被包装物を下方で受け止める当接部を凹所の各４辺にそれぞれ設けた包装用緩衝材が開示されている。
また、実願昭５９−７６６１２号（実開昭６０−１８８１８２）には、切込み、切欠穴を適宜設け、所定の位置で折り曲げることにより、被包装物を収納する凹所の縁部に被包装物を押さえる止め部を形成すると共に、折り曲げを繰り返して水平面内で延びる底板部を形成し、その底板部先端を垂直に折り曲げられた折り曲げ部に形成された切欠穴に掛け止めして被包装物を受け止めるようにした包装体が開示されている。
【０００３】
しかし上記した構成においては、被包装物を収受する凹所の４つの各辺で折り曲げ部を谷折した後に今度は反対方向へ山折を行って各当接部を形成したり、山折を繰返した後に、底板の先端部を対向する折り曲げ片に形成した切欠穴に掛け止めするなど、作業が面倒である。
【先行技術文献】
【特許文献】
【０００４】
【特許文献１】特開平８−９１３５６号
【特許文献２】実願昭５９−７６６１２号のマイクロフィルム
【考案の概要】
【考案が解決しようとする課題】
【０００５】
本願発明は上記した問題点に鑑みなされたものであり、従来例に比して容易な作業で同じ折り曲げ片に被包装物を下方で受け止める受止め部と、上側で押さえる押さえ部を形成することができる、被包装物保持具を提供することをその課題とする。
【課題を解決するための手段】
【０００６】
上記課題を解決するために本考案は、一枚の板紙で形成し、略四角形の平面部と該平面部の少なくとも一対の対向縁部から下方へ延びる支持壁部とを備え、前記平面部の適宜箇所に切込みを入れ、且つ適宜箇所において折り曲げることにより被包装物の平面視外形形状に略対応した開口部を形成した包装用被包装物保持具において、以下の構成とした。すなわち、前記被包装物の両側側部に対応する前記開口部の両側縁部に対応する位置に適宜間隔で設けられた第１の折り曲げラインと、該第１の折り曲げラインからそれぞれ所定の距離だけ互いに近づいた位置に適宜間隔で設けられた第２の折り曲げラインと、前記第１の折り曲げラインの隣合う端部の間に前記第２の折り曲げライン側へ突出した「コ」字状の切り込みを、前記第２の折り曲げラインの隣合う端部の間に前記第１の折り曲げライン側へ突出した「コ」字状の切込みを設ける。そして、前記第１と第２の折り曲げラインに沿って折り曲げることにより、前記開口の周囲の平面部に対して下方へ曲げられて互いに対向する垂直部と、該垂直部の下端部から互いに遠去かる方向へ折り曲げられた水平部と、前記平面部から該平面部と同一面で前記開口部内へ伸びる押さえ部と、前記水平部から該水平部と同一面で前記開口部内へ延びる受け部とを形成した。
【考案の効果】
【０００７】
上記のとおり、本考案にかかる包装用被包装物保持具では、同じ方向への曲げを２度繰返すという簡単な作業で被包装物を下側で受止める受け部と、上側で抑える押さえ部とを形成することができ、非包装物を安定的に保持できる。
【図面の簡単な説明】
【０００８】
【図１】本考案の被包装物保持具の展開正面図である。
【図２】本考案の一実施の形態にかかる被包装物保持具の平面図である。
【図３】（Ａ）は図２のA−A線断面図、（B）は同じくB−B線断面図である。
【図４】被包装物の一例を示す平面図である。
【図５】図４の被包装物を保持した状態の図２と同じ位置での断面図である。
【考案を実施するための形態】
【０００９】
以下、図面を参照しながら本考案に係る被包装物保持具（以下「保持具」という。）の具体的な実施の形態について説明する。図１は保持具１の展開図、図２は保持具１の平面図、図３の（A）は図２のA−A線断面図、（B）はB−B線断面図、図４はこの保持具を使用する被包装物の平面図、図５の（A）、（B）それぞれは被包装物を保持した状態での図３のA−A線、B−B線の位置での断面図である。図１において外形を示す実線以外の実線は切込みを示す。また、破線は折り曲げ位置を示す。なお、折り曲げは全て山折である。すなわち、図１における上面側が折り曲げたときの凸部の外側になるように折り曲げられる。
【００１０】
保持具１は大別すると中央に位置する四角形の平面部３と左右及び上下の支持壁部５、７、９、１１からなっている。左支持壁部５はライン５ｃ、５ｄに沿って２度山折され、垂直部５ｂが保持部３に対して下側へ、すなわち図１の紙面裏側へ向かって略垂直に伸び、水平部５aが平面部３の下側で水平方向に内側へ向かって延びるようになっている。右支持壁部７、上支持壁部９、下支持壁部１１も同様の構成であるのでその説明は省略する。
【００１１】
この保持具１の平面部３には二つの保持部１５A、１５Bが形成されている。その平面形状は、図４にその平面図が示されている瓶の形をした被包装物Wの平面視の形状に略対応している。被包装物Wは、断面が長円形の形をした容器本体W１と、容器本体W１の断面円形の口に嵌ったキャップW２とで構成されている。保持部１５Aと１５Bの構造は同じであるので、左側の保持部１５Aについてのみ以下説明する。
【００１２】
保持部１５Aは図示の切込みC１、C２、C３、C４，C５によって頭部折り曲げ部１７と、左折り曲げ部１９と、右折り曲げ部２１とに区画分けされている。左折り曲げ部１９と右折り曲げ部２１とは切込みC４に関して線対称の形に形成される。左折り曲げ部１９は折り曲げラインL１とL２とにより、垂直部１９ｂと水平部１９aとに分けられる。ラインL１とL２とは平行である。図示の通り、ラインL１は適宜な間隔を明けて２つに、ラインL２は３つに分けられている。そして、ラインL２の隣合う端部から、ラインL１側へ突出する「コ」字状の切り込み２３が上下に２箇所で形成されている。なお図示の例では、「コ」の字の上下の辺の先端部はラインL２の位置に合っているが、若干水平部１９a側に入り込んでも良い。またラインL１の隣合う端部から、ラインL２側へ突出する「コ」字状の切込み２５が形成されている。そしてこの例では「コ」の字の上下の辺の先端部は平面部３側に若干入り込んでいるが、ラインL１の位置に合わせてもよい。右側折り曲げ部２１についても同様であるのでその説明は省略する。次に保持具１を形成する手順について説明する。
【００１３】
図１に示すように切込みC１〜C５が施された状態で先ずラインL３で頭部折り曲げ部を１７を平面部３に対して直角に折り曲げる。次に右折り曲げ部１９をラインL２に沿って折り曲げ、次いでラインL１に沿って折り曲げる。いずれも山折である。これにより、下側には水平部１９aから水平部１９aと同一平面で保持部１５Aの内側に向かって延びる受け部３３が形成され、上側には平面部３から平面部３と同一平面で保持部１５Aの内側に向かって延びる押さえ部３５が形成される。右折り曲げ部２１も同様に山折を２度行うことにより、受け部３７と押さえ部３９が、左折り曲げ部１９の受け部３３と押さえ部３５にそれぞれ向い合う形で形成される。
【００１４】
上記のように構成した保持具１に瓶の形をした被包装物Wを保持させるには、保持部１５A、Bの形に被包装物Wの向きを合わせて上側から保持部１５A、Bに押込むと、押さえ部３５，３９が弾性により下側へ撓み、被包装物が半分以上入り込むと弾性で元に戻って被包装物を押さえる形になる。下方では受け部３３、３７が被包装物Wを受止めるようになっている（図５参照）。このようにして被包装物Wは、そのキャップW２の先端が頭部折り曲げ部１７に当接し、本体部W１の左右の側部が垂直部１９ｂ、２１ｂに当接し、本体部W１の底部は切込みC５の部分に当接し、下側を受け部３３，３７によって受止められ、上側を押さえ部３５，３９で押さえられ、安定した状態で保持されることとなる。
【図１】
0003179278.tif 000003
【図２】
0003179278.tif 000004
【図３】
0003179278.tif 000005
【図４】
0003179278.tif 000006
【図５】
0003179278.tif 000007